(57)【要約】【課題】山林作業に必要な比較的大型の工具、道具を収容可能な比較的大型の工具箱を搭載可能であって、オペレータの視界を遮ることもなく、工具、道具の取出しや戻しも容易に行なえる山林作業機を提供する。【解決手段】下部走行体１上に旋回装置７を介して上部旋回体６を設置し、上部旋回体６に作業装置１７を取付け、上部旋回体６の片側前部に運転室１０を設置した小旋回型の山林作業機を構成する。上部旋回体６の運転室１０の反対側前部に、集材用ウインチ装置２９が搭載可能なウインチ取付け部２７を運転室１０よりも前端を前方に突出させて設ける。上部旋回体６上にウインチ装置２９の後部に隣接して設置されたコントロールバルブを覆うカバー３６を、上面を平らにし設ける。カバー３６上に工具箱３７を設置する。【選択図】図３
2011052509.tif 000002
【特許請求の範囲】
【請求項１】
下部走行体上に旋回装置を介して上部旋回体を設置し、前記上部旋回体に作業装置を取付け、前記上部旋回体の片側前部に運転室を設置した小旋回型の山林作業機において、
前記上部旋回体の前記運転室の反対側前部に、前記運転室よりも前端を前方に突出させて設けられ、集材用ウインチ装置が搭載可能なウインチ取付け部と、
前記上部旋回体上に前記ウインチ装置の後部に隣接して設置されたコントロールバルブを覆い、上面を平らにしたカバーと、
前記カバー上に設置した工具箱とを備えたことを特徴とする山林作業機。
【請求項２】
請求項１に記載の山林作業機において、
前記カバーおよび前記工具箱の側面に対面する箇所に、作業員が建屋上に昇降するための梯子を設けたことを特徴とする山林作業機。
【請求項３】
請求項１または２に記載の山林作業機において、
前記工具箱の上面を平らにし、前記上面に滑り止め用踏み板を設けたことを特徴とする山林作業機。
【請求項４】
請求項１から３までのいずれか1項に記載の山林作業機において、
前記ウインチ取付け部を、ウインチ装置と燃料タンクとを交換搭載可能に構成したことを特徴とする山林作業機。
【発明の詳細な説明】
【技術分野】
【０００１】
本発明は、山林において伐採された木材を集材する等の作業を行なう山林作業機に関する。
【背景技術】
【０００２】
山林において、木材を伐採し、集材するための山林作業機として、油圧ショベルをベースマシンとしたものが用いられている（例えば特許文献１，２参照）。この従来の山林作業機は、油圧ショベルの上部旋回体に２台のウインチを搭載し、このウインチにより巻取り繰出しされる材木運搬用ワイヤロープを掛ける滑車をアームに取付けて構成する。集材する際には集材すべき材木のある方向の立木に滑車を取付け、第１のウインチから巻取り繰出しされるワイヤロープを、アームに取付けた一方の滑車と立木に取付けた滑車に掛け、このワイヤロープの一端を移動滑車ブロックに接続する。また第２のウインチから巻取り繰出しされるワイヤロープをアームに取付けた他方の滑車に掛け、先端を前記移動滑車ブロックに接続する。そして第１のウインチのワイヤロープ繰出しと、第２のウインチの巻取りにより移動滑車ブロックを材木と共に作業機側に引き寄せて集材する。
【０００３】
このような従来の山林作業機は、油圧ショベルをベースマシンに使用しているため、一般的には、工具箱として、油圧ショベルに備えられている工具箱を使用している。この工具箱は、通常、上部旋回体に搭載されたコントロールバルブを覆うカバー内に設けることが多く、このコントロールバルブを覆うカバーには、作業員が上部旋回体の建屋上に前方から昇降しやすくするため、前面が傾斜し、かつその傾斜面に昇降用のステップが設けられている。そして、そのカバー内に工具箱が設けられている。
【先行技術文献】
【特許文献】
【０００４】
【特許文献１】実開平６−１４２４６号公報
【特許文献２】特開平８−２４６４８８号公報
【発明の概要】
【発明が解決しようとする課題】
【０００５】
山林作業機は細い林道を走行するものであり、また、山林での作業は立木や林道の山側壁面等の作業障害物が多いため、上部旋回体の後方の旋回半径が小さい自重が例えば７ｔあるいは１２ｔ程度の比較的小型の小旋回機が用いられる。このため、上部旋回体上のスペースは狭く、コントロールバルブを覆うカバー内に設ける工具箱としては、スパナ等の工具や小型の滑車等が収容できる比較的小型のものしか備えられていない。
【０００６】
しかしながら、山林作業機には立木の伐採に使用するチェーンソー等の比較的大型の工具を搭載する必要がある。これらの比較的大きな工具は前述した工具箱には収容することができない。このため、運転室内にこれらの工具を収容すると、傾斜した林道を走行中あるいは作業中に工具が動いたり、オペレータの操作空間が狭隘となったりするため、作業性を悪化させるという問題点があった。
【０００７】
本発明は、上記問題点に鑑み、山林作業に必要な比較的大型の工具、道具を収容可能な比較的大型の工具箱を搭載可能であって、工具箱収容部がオペレータの視界を遮ることもなく、工具、道具の取出しや戻しも容易に行なえる山林作業機を提供することを目的とする。
【課題を解決するための手段】
【０００８】
請求項１の山林作業機は、下部走行体上に旋回装置を介して上部旋回体を設置し、前記上部旋回体に作業装置を取付け、前記上部旋回体の片側前部に運転室を設置した小旋回型の山林作業機において、
前記上部旋回体の前記運転室の反対側前部に、前記運転室よりも前端を前方に突出させて設けられ、集材用ウインチ装置が搭載可能なウインチ取付け部と、
前記上部旋回体上に前記ウインチ装置の後部に隣接して設置されたコントロールバルブを覆い、上面を平らにしたカバーと、
前記カバー上に設置した工具箱とを備えたことを特徴とする。
【０００９】
請求項２の山林作業機は、請求項１に記載の山林作業機において、
前記カバーおよび前記工具箱の側面に対面する箇所に、作業員が建屋上に昇降するための梯子を設けたことを特徴とする。
【００１０】
請求項３の山林作業機は、請求項１または２に記載の山林作業機において、
前記工具箱の上面を平らにし、前記上面に滑り止め用踏み板を設けたことを特徴とする。
【００１１】
請求項４の山林作業機は、請求項１から３までのいずれか1項に記載の山林作業機において、
前記ウインチ取付け部を、ウインチ装置と燃料タンクとを交換搭載可能に構成したことを特徴とする。
【発明の効果】
【００１２】
請求項１の発明によれば、ウインチ装置を搭載可能なウインチ取付け部を運転室より前方に突出させて設けたので、搭載するウインチの後方の上部旋回体上のスペースを比較的広くとることができる。その上、コントロールバルブを覆うカバーの上面を傾斜させるのではなく平らとし、そのカバーの上に工具箱を設置したので、前後の長さが長いサイズの大きな工具箱の搭載が可能となる。
【００１３】
このため、チェーンソーのような大型の工具も工具箱に収容することが可能となる。その結果、運転室にチェーンソーを収容する必要が無くなり、オペレータの操作における作業性が向上する。また、コントロールバルブを覆うカバーと工具箱とを重ねた高さは上部旋回体の建屋程度の高さとなり、視界の悪化が回避できる。また、工具箱が上部旋回体上の側面部に設けられるため、工具の取出し、戻しも容易に行なえる。
【００１４】
請求項２の発明によれば、前記コントロールバルブを覆うカバーおよび前記工具箱の側面に対面する箇所に、作業員が建屋上に昇降するための梯子を設けたので、その梯子に上って工具箱の蓋を容易に開閉することができ、工具の取出しおよび戻しもさらに容易となる。
【００１５】
請求項３の発明によれば、工具箱の上面に滑り止め用踏み板を設けたので、作業員が建屋上に上って保守点検作業を行なう際の安全性が向上する。また、工具箱の上面を平らにしたので、工具箱の上面の高さを低くすることができ、視界を良好とすることができる。
【００１６】
請求項４の発明によれば、ウインチ取付け部を、ウインチ装置と燃料タンクとが交換搭載可能となるように構成したので、既存の燃料タンクに新たに別の燃料タンクを付加し搭載することができる。このため、数日に亘り山中にこもって林業作業を行なう際に、別途燃料補給のためのトラック等による輸送作業を行なう必要が無くなり、作業能率が向上する。
【図面の簡単な説明】
【００１７】
【図１】本発明の山林作業機の一実施の形態をウインチ装置を搭載していない状態で示す側面図である。
【図２】図１の山林作業機の平面図である。
【図３】本実施の形態の山林作業機をウインチ装置を搭載した状態で示す側面図である。
【図４】図３の山林作業機の平面図である。
【図５】本実施の形態の上部旋回体を示す平面図である。
【図６】図５の上部旋回体の側面図である。
【図７】本実施の形態のウインチ取付け部の取付け板におけるボルト挿通孔の配置を示す平面図である。
【図８】本実施の形態のウインチ装置の底板部のボルト挿通孔の配置を示す平面図である。
【図９】本実施の形態のコントロールバルブのカバーと工具箱の構成を示す側面図である。
【図１０】図９の平面図である。
【図１１】本実施の形態のコントロールバルブのカバーと工具箱の構成を示す斜視図である。
【図１２】本実施の形態の工具箱のコントロールバルブカバーに対する取付け構造を示す断面図である。
【図１３】本実施の形態の山林作業機の作業状態を示す側面図である。
【図１４】本発明の山林作業機の他の実施の形態を示す側面図である。
【図１５】図１４の実施の形態においてウインチ取付け部にウインチ装置と燃料タンクを交換可能に取付けるためのボルト挿通孔の配置を示す平面図である。
【図１６】図１４の燃料タンクのボルト挿通孔の配置を示す平面図である。
【発明を実施するための形態】
【００１８】
図１は本発明の山林作業機の一実施の形態を、ウインチ装置を搭載しない状態について示す側面図、図２はその平面図である。また、図３、図４はそれぞれ本実施の形態の山林作業機を、ウインチ装置の搭載状態で示す側面図および平面図である。この山林作業機は、油圧ショベルをベースマシンとするものである。１はクローラ式下部走行体であり、この下部走行体１は、トラックフレームを構成する左右のサイドフレーム２の後部に走行モータ（図示せず）により駆動される駆動輪３を取付け、サイドフレーム２の前部に従動輪４を取付け、これらの駆動輪３、従動輪４に履帯５を掛け回して構成される。
【００１９】
６は下部走行体１上に旋回装置７を介して設置された上部旋回体である。この上部旋回体６はその後方の作業半径（旋回中心から上部旋回体６の搭載機器を含む外周までの距離）が短く設定されたものであり、小旋回型の建設機械を構成するものである。１０は運転室であり、この運転室１０は上部旋回体６の片側（図示例は左側）の前部に設置する。１１は上部旋回体６の後部寄りに搭載した油圧パワーユニットである。この油圧パワーユニットはエンジンと、このエンジンにより駆動される油圧ポンプおよび発電機と、ラジエータ等の冷却装置等から構成されるものである。
【００２０】
１３は油圧パワーユニット１１に隣接させて上部旋回体６に搭載した作動油タンクである。この作動油タンク１３は、油圧パワーユニット１１の油圧ポンプにより吸引され吐出されて各種油圧アクチュエータに供給される作動油を溜めるものである。１４はこの作動油タンク１３の外側に隣接して設置された燃料タンクであり、この燃料タンクはエンジンに用いる燃料を蓄えるため、ベースマシンとしての油圧ショベルに備えられたものである。１５は上部旋回体６の後端部に搭載されたカウンタウエイトである。本実施の形態においては、後方小旋回型とするため、カウンタウエイト１５の背面を旋回半径を中心とした弧状に形成すると共に、カウンタウエイト１５の背面が下部走行体１の履帯５よりも後方に突出しない構造としている。
【００２１】
１７は多関節フロントからなる作業装置である。この作業装置１７は、上部旋回体６にブームシリンダ１８により起伏可能に取付けられたブーム１９と、ブーム１９の先端にアームシリンダ２０により上下方向に回動可能に取付けられたアーム２１と、アーム２１の先端に作業具シリンダ２２によりアームリンク２３および作業具リンク２４を介して回動可能に取付けられた作業具２５とを備える。図示例においては、作業具としてバックホウバケットを取付けた例を示している。なお、この作業装置１７の構造は種々に変更可能である。
【００２２】
図５は上部旋回体６の平面図、図６はその側面図である。図５、図６において、６ａは旋回装置７の搭載部、６ｂは運転室１０の搭載部、６ｃは作業装置１７のブーム１９のフート部をピンにより枢着するブーム取付け部、６ｄはブームシリンダ１８のヘッドをピンにより枢着するブームシリンダ取付け部、６ｅは油圧パワーユニット１１の搭載部、６ｆはカウンタウエイト１５の搭載部、６ｇはコントロールバルブ（図示せず）の搭載部、６ｈは作動油タンク１３の搭載部、６ｉは燃料タンク１４の搭載部である。ここで、コントロールバルブは、下部走行体１に設ける走行モータ、旋回装置７の旋回モータ、ブームシリンダ１８、アームシリンダ２０、作業具シリンダ２２および後述のウインチ２９ｂ，２９ｃを駆動する油圧モータ等の油圧アクチュエータ対応に設けられた複数個のコントロールバルブを組み合わせたものである。
【００２３】
また、２７は上部旋回体６の運転室１０の反対側前部に、前端を運転室１０より前方に突出させて設けたウインチ取付け部である。このウインチ取付け部２７は、汎用の油圧ショベルよりも前端を前方に延出させて設けた延出フレーム２７ａと、この延出フレーム２７ａ上にボルト付けあるいは図示例のように溶接により設けた取付け板２７ｂとからなる。なお、延出フレーム２７ａは上部旋回体６のフレームとしてメインフレームの一部として構成するか、あるいは既存のメインフレームに溶接により付設して構成する。
【００２４】
図３、図４において、２９はウインチ取付け部２７に取付けるウインチ装置であり、このウインチ装置２９は、前面および上面が開口されたハウジング２９ａ内にそれぞれモータ付の上ウインチ２９ｂと下ウインチ２９ｃとを取付けたものである。
【００２５】
図７はウインチ装置２９の取付け板２７ｂを示す平面図である。本実施の形態の取付け板２７ｂは、ウインチ装置２９の向きを２９Ｘの位置（図１３において、アーム２１に取付ける滑車５４ａ、５４ｂにワイヤロープ６０，６１を掛けて作業を行なう態様）と２９Ｙの位置（滑車５４ａ，５４ｂにワイヤロープ６０，６１を掛けずに作業を行なう態様）に変更可能とするため、ウインチ装置２９の傾斜位置調整における回動中心に設けるボルト挿通孔３０以外はそれぞれ２個を１組とした２組のボルト挿通孔３１ａ〜３１ｅ、３２ａ〜３２ｅを設けている。また、図８の平面図に示すように、ウインチ装置２９の底板２９ｄには取付け板２７のボルト挿通孔３０に対応するボルト挿通孔３３と、対をなすボルト挿通孔３１ａ，３２ａ〜３１ｅ，３２ｅにそれぞれ対応する弧状の長孔３４ａ〜３４ｅを設けている。
【００２６】
図１、図３において、３６はコントロールバルブを覆うカバー、３７はこのカバー３６の上に設置した工具箱、３８はこの工具箱３７を経て建屋３９上に上るための梯子である。
【００２７】
図９はコントロールバルブのカバー３６、工具箱３７、梯子３８の取付け構造を示す側面図、図１０はその平面図、図１１はその斜視図である。４０はカバー３６を設けるための支持枠であり、この支持枠４０は上部旋回体６の外側に設けた外枠４０ａと内側に設けた内枠４０ｂとこれらの上に平らに設けた４角形の上枠４０ｃとからなる（図１１参照）。外枠４０ａにはカバー３６の側板３６ａがボルト（図示せず）により固定され、その側板３６ａに設けた開口部に蓋３６ｂが開閉可能に取付けられる。また、ウインチ装置２９側の外枠４０ａ、内枠４０ｂ、上枠４０ｃにボルト４７により前板３６ｃが取付けられる（図９参照）。
【００２８】
工具箱３７は直方体状をなし、その底板３７ａは、図１２に示すように、カバー３６の上枠４０ｃにボルト４１およびナット４２により固定する。この底板４０ｃはカバー３６の天板を兼ねている。図１０、図１１に示すように工具箱３７の上面の天板３７ｂには蝶番４３により開閉可能に蓋４４を取付ける。工具箱３７の上面を構成する天板３７ｂと蓋４４は平らとし、この平らな蓋４４上に作業員が梯子３８を通して建屋に上る際の滑り止めとなる踏み板４５を設ける。
【００２９】
前記梯子３８の取付けのため、図９、図１０に示すように、上部旋回体６の側面に設けたねじ孔付の取付け座４８を設けると共に、工具箱３７の天板３７ｂにもねじ孔付の取付け座４９を設ける。そして梯子３８の下端部の取付け部３８ａの孔にボルト５０を挿通して取付け座４８のねじ孔に螺合して固定すると共に、梯子３８の中間部に延出させて設けた取付け部３８ｂの孔にボルト５１を挿通して取付け座４９に螺合して固定することにより、梯子３８を着脱可能に取付ける。
【００３０】
図１３はこの山林作業機を用いて集材作業を行なっている状態を示す側面図である。図１３において、５４はアーム２１の下面に予め溶接されているブラケット５３に工具箱３７に着脱可能に取付けられる滑車ブロック５４である。この滑車ブロック５４は２個の滑車５４ａ，５４ｂを有する。５５は集材すべき場所の近傍にある立木５６に取付ける滑車である。５７はフック５８を有する移動滑車ブロックである。５７ａ，５７ｂはこの移動滑車ブロック５７に設けた滑車である。
【００３１】
集材作業を行なう際には、集材すべき場所の近傍にある立木５６に滑車５５を取付ける。また、ウインチ装置２９の上ウインチ２９ｂのドラムに巻かれた運搬用ワイヤロープ６０を、アーム２１に取付けた滑車ブロック５４に備えた一方の滑車５４ａと、移動滑車ブロック５７の滑車５７ａ，５７ｂと、立木５６に取付けた滑車５５に掛け、先端を移動滑車ブロック５７の一端に接続する。また、ウインチ装置２９の下ウインチ２９ｃのドラムに巻かれた運搬用ワイヤロープ６１を、滑車ブロック５４に備えた他方の滑車５４ｂに掛け、移動滑車ブロック５７の他端に接続する。
【００３２】
そして、ウインチ２９ｂ、２９ｃの操作により、運搬用ワイヤロープ６０，６１を巻取り繰り出しして集材すべき木材６２に移動滑車ブロック５７を近づける。そして集材すべき材木６２に掛け回した吊下用ワイヤロープ６３を移動滑車ブロック５７のフック５８に掛ける。そして上ウインチ２９ｂによる運搬用ワイヤロープ６０の繰り出しと、下ウインチ２９ｃによる運搬用ワイヤロープ６１の巻取りにより、移動滑車ブロック５７と共に材木６２を作業機側に引き寄せて集材する。
【００３３】
なお、この作業例のように、アーム２１に取付けたブラケット５３に滑車ブロック５４を取付けてその滑車５４ａ，５４ｂに運搬用ワイヤロープ６０，６１を掛けて作業を行なう場合には、図７において２９Ｘで示すように、作業装置１７のブーム１９、アーム２１に対してウインチ装置２９を斜めに向けて固定する。すなわち、ボルト挿通孔３０，３３に挿通するボルト（図示せず）と、ボルト挿通孔３１ａ〜３１ｅおよび長孔３４ａ〜３４ｅに挿通するボルト（図示せず）によりウインチ装置２９を取付け板２７ｂに固定する。
【００３４】
また、滑車５４ａ，５４ｂに運搬用ワイヤロープ６０，６１を掛けずに作業を行なう場合は、ブーム１９、アーム２１に対するウインチ装置２９の傾斜角度と小さくした図５の２９Ｙの姿勢としてウインチ取付け板２７ｂにウインチ装置２９を固定する。この場合には、ボルト挿通孔３０，３３に挿通するボルト（図示せず）と、ボルト挿通孔３２ａ〜３２ｅおよび長孔３４ａ〜３４ｅに挿通するボルト（図示せず）によりウインチ装置２９を取付け板２７ｂに固定する。
【００３５】
このように、本実施の形態においては、ウインチ装置２９を搭載可能なウインチ取付け部２７を運転室１０より前方に突出させて設けたので、搭載するウインチ装置２９の後方の上部旋回体６上のカバー３６の設置スペースを比較的広くとることができる。その上、コントロールバルブを覆うカバー３６の上面を傾斜させるのではなく平らとし、そのカバー３６の上に工具箱３７を設置したので、前後の長さが長いサイズの大きな工具箱３７の設置が可能となる。このため、滑車ブロック５４，５７や滑車５５のみならず、立木を伐採するためのチェーンソー等の比較的大きな工具を工具箱３７に収容することが可能となる。
【００３６】
その結果、運転室１０にチェーンソー等を収容する必要が無くなり、運転室１０内におけるオペレータの操作における作業性が向上する。
【００３７】
また、仮に前面が傾斜した従来構造のコントロールバルブのカバーの上に工具箱を搭載するとすれば、工具箱の位置が高くなり、側方視界を悪化させることになる。また、カウンタウエイト上に工具箱を搭載すると、この工具箱が後方の視界を遮るため、後方視界を悪化させることになる。一方、本実施の形態においては、コントロールバルブのカバー３６の上面は平らしに、その上に工具箱３７を設けたので、コントロールバルブを覆うカバー３６と工具箱３７とを重ねた高さは上部旋回体６の建屋程度の高さ前後となり、視界の悪化が回避できる。さらに、蓋４４や天板３７ｂからなる工具箱３７の上面を平らにしたので、工具箱３７の上面の高さを低くすることができ、視界を良好とすることができる。
【００３８】
また、工具箱３７が上部旋回体６上の側面部に設けられるため、工具、道具の取出し、戻しも容易に行なえる。
【００３９】
また本実施の形態のように、コントロールバルブを覆うカバー３６および工具箱３７の側面に対面する箇所に、作業員が建屋上に昇降する梯子３８を設けたので、その梯子３８に上ってコントロールバルブを覆うカバー３６の蓋を容易に開閉することができ、工具、道具の取出しおよび戻しもさらに容易となる。
【００４０】
また本実施の形態においては、工具箱３７の上面に作業員の滑り止め用踏み板４５を設けたので、建屋上に上って保守点検作業を行なう際の安全性が向上する。
【００４１】
図１４は本発明による山林作業機の他の実施の形態を示す側面図である。この山林作業機は、前記ウインチ取付け部２７にウインチ装置２９の代わりに燃料タンク６５を搭載したものである。図１５はウインチ装置２９の代わりに燃料タンク６５を搭載可能とするための取付け板２７ｃの構成を示す平面図である。この取付け板２７ｃは、前記ウインチ装置２９を取付けるためのボルト挿通孔３０，３１ａ〜３１ｅ、３２ａ〜３２ｅ以外に、燃料タンク６５を搭載するためのボルト挿通孔６６ａ〜６６ｄを設ける。
【００４２】
これらのボルト挿通孔６６ａ〜６６ｄは、図１６に示すように、燃料タンク６５の底板に設けた取付け用ボルト挿通孔６７ａ〜６７ｄにそれぞれ対応する位置に設けられる。このため、取付け板２７ｃからウインチ装置２９を取外した後、取付け板２７ｃのボルト挿通孔６６ａ〜６６ｄと燃料タンク６５の底板のボルト挿通孔６７ａ〜６７ｄにボルト（図示せず）を挿通してナット（図示せず）に螺合することにより燃料タンク６５を取付け板２７ｃに取付けることができる。この燃料タンク６５は、既存の燃料タンク１４に加える新たな別の燃料タンク６５として搭載する。燃料タンク１４，６５には、燃料タンク６５から燃料タンク１４に燃料を補給する際に補給用ホース（図示せず）を接続するためのポート１４ａ，６５ａを有する。なお、このようなポート１４ａ，６５ａを設ける代わりにポンプを用いて燃料タンク６５から燃料タンク１４に燃料を補給するようにしてもよい。
【００４３】
図１４に示す実施の形態の山林作業機は、アーム２１に取付ける作業具として旋回装置６８と油圧シリンダ６９により開閉される一対の把持爪７０，７０を有するホーク７１をアーム２１の先端に取付けたものであり、集材した材木のトラック等への積み込みを行なうものである。
【００４４】
このように、ウインチ取付け部２７に燃料タンク６５をウインチ装置２９と交換搭載可能に構成すれば、数日に亘り山中で林業作業を行なう際に、別途燃料補給のためのトラック等による輸送作業を行なう必要が無くなり、作業能率が向上する。なお、ウインチ装置２９と燃料タンク６５とを交換可能に搭載するには、ウインチ装置２９用の取付け板と燃料タンク６５用の取付け板を、延出フレーム２７ａに交換可能に取付ける構造としてもよい。
【符号の説明】
【００４５】
１：下部走行体、２：サイドフレーム、３：駆動輪、４：従動輪、５：履帯、６：上部旋回体、６ａ：旋回装置の搭載部、６ｂ：運転室の搭載部、６ｃ：ブーム取付け部、６ｄ：ブームシリンダ取付け部、６ｅ：油圧パワーユニットの搭載部、６ｆ：カウンタウエイトの搭載部、６ｇ：コントロールバルブの搭載部、６ｈ：作動油タンクの搭載部、６ｉ：燃料タンクの搭載部、７：旋回装置、１０：運転室、１１：油圧パワーユニット、１３：作動油タンク、１４：燃料タンク、１５：カウンタウエイト、１７：作業装置、１８：ブームシリンダ、１９：ブーム、２０：アームシリンダ、２１：アーム、２２：作業具シリンダ、２３：アームリンク、２４：作業具リンク、２５：作業具、２７：ウインチ取付け部，２７ａ：延出フレーム，２７ｂ，２７ｃ：取付け板、２９：ウインチ装置、２９ａ：ハウジング、２９ｂ：上ウインチ、２９ｃ：下ウインチ、３０，３１ａ〜３１ｅ，３２ａ〜３２ｅ，３３：ボルト挿通孔、３４ａ〜３４ｅ：長孔、３６：カバー、３６ａ：側板、３６ｂ：蓋、３７：工具箱、３７ａ：底板、３７ｂ：天板、３８：梯子、３８ａ，３８ｂ：取付け部、４０：支持枠、４０ａ：外枠、４０ｂ：内枠、４０ｃ：上枠取付け部、４１：ボルト、４２：ナット、４３：蝶番、４４：蓋、４５：滑り止め用踏み板、４８，４９：取付け座、５１：ボルト、５３：ブラケット、５４：滑車ブロック，５４ａ，５４ｂ：滑車、５５：滑車、５６：立木、５７：移動滑車ブロック、５７ａ，５７ｂ：滑車、５８：フック、６０，６１：運搬用ワイヤロープ、６２：材木、６５：燃料タンク、６６ａ〜６６ｄ、６７ａ〜６７ｄ：ボルト挿通孔、６８：旋回装置、６９：油圧シリンダ、７０：把持爪、７１：ホーク
【図１】
2011052509.tif 000003
【図２】
2011052509.tif 000004
【図３】
2011052509.tif 000005
【図４】
2011052509.tif 000006
【図５】
2011052509.tif 000007
【図６】
2011052509.tif 000008
【図７】
2011052509.tif 000009
【図８】
2011052509.tif 000010
【図９】
2011052509.tif 000011
【図１０】
2011052509.tif 000012
【図１１】
2011052509.tif 000013
【図１２】
2011052509.tif 000014
【図１３】
2011052509.tif 000015
【図１４】
2011052509.tif 000016
【図１５】
2011052509.tif 000017
【図１６】
2011052509.tif 000018